(57)【特許請求の範囲】
【請求項１】
複数の建物ユニットを３層積み重ねて構成され、１階ならびに２階の建物ユニットの同一平面上にＵ字型の折れ階段が設けられている３階建てのユニット建物において、
２階の階段下り口と階段上り口が、１階の階段上り口よりも後退位置に左右に並設され、かつ、３階の階段下り口が、２階の階段下り口ならびに階段上り口よりも前進位置に設けられていることを特徴とするユニット建物。
【請求項２】
３階建ての建物に設けられる階段構造であって、１階ならびに２階の同一平面上にＵ字型の折れ階段が設けられている階段構造において、
２階の階段下り口と階段上り口が、１階の階段上り口よりも後退位置に左右に並設され、かつ、３階の階段下り口が、２階の階段下り口ならびに階段上り口よりも前進位置に設けられていることを特徴とする階段構造。
【発明の詳細な説明】
【０００１】
【発明の属する技術分野】
本発明は、ユニット建物ならびに階段構造に関する。
【０００２】
【従来の技術】
従来、複数の建物ユニットを３層積み重ねて構成され、各階の同一平面上にＵ字型の折れ階段が設けられている３階建てのユニット建物としては、例えば、図３ならびに図４に示すようなものが知られている。この従来のユニット建物は、箱型の建物ユニット０１，０２，０３が上下３層に積み重ねられており、１階の建物ユニット０１と２階の建物ユニット０２のそれぞれに、全く同じ型の折れ階段０４，０５が設けられている。そして、１階の階段上り口０１１と２階の階段上り口０２２とが同一平面上に配置されていると共に、２階の階段下り口０２１と３階の階段下り口０３１も、前記階段上り口０１１，０２２よりも後退した位置で同一平面上に配置されている。
【０００３】
【発明が解決しようとする課題】
しかしながら、このような従来のユニット建物にあっては、２階の階段上り口０２２から階段折返し部０５１までの距離を十分確保することができず、また、その高低差ａも十分確保できないので、１階の折れ階段０４と２階の折れ階段０５の上下間隔ｈ１，ｈ２，ｈ３が狭くなり、階段昇降中に圧迫感を感じるという問題があった。また更に、２階の階段下り口０２１ならびに３階の階段下り口０３１が、１階の階段上り口０１１ならびに２階の階段上り口０２２よりも後退した位置に配置されていたために、２階ならびに３階に階段ホールとしてのスペース（斜線部）が広く必要になり、間取りの自由度が狭められるという問題があった。
【０００４】
そこで、本発明は、上記のような問題に着目し、３階建ての建物において、１階の折れ階段と２階の折れ階段の上下間隔を広くしてゆとりある階段スペースを確保すると共に、間取りを設計する上で階段が大きな制約にならないようにすることを目的としている。
【０００５】
【課題を解決するための手段】
上記目的を達成するために、請求項１記載の発明では、複数の建物ユニットを３層積み重ねて構成され、１階ならびに２階の建物ユニットの同一平面上にＵ字型の折れ階段が設けられている３階建てのユニット建物において、２階の階段下り口と階段上り口が、１階の階段上り口よりも後退位置に左右に並設され、かつ、３階の階段下り口が、２階の階段下り口ならびに階段上り口よりも前進位置に設けられている構成とし、請求項２記載の発明では、３階建ての建物に設けられる階段構造であって、１階ならびに２階の同一平面上にＵ字型の折れ階段が設けられている階段構造において、２階の階段下り口と階段上り口が、１階の階段上り口よりも後退位置に左右に並設され、かつ、３階の階段下り口が、２階の階段下り口ならびに階段上り口よりも前進位置に設けられている構成とした。
【０００６】
【作用】
請求項１記載の発明ならびに請求項２記載の発明では、２階の階段上り口が１階の階段上り口よりも後退位置に左右に並設されているので、２階の階段上り口から階段折返し部までの距離を十分確保することができ、また、その高低差も十分確保できるので、１階の折れ階段と２階の折れ階段の上下間隔を広くすることができるので昇降に際して圧迫感がない。
【０００７】
また更に、２階の階段下り口と階段上り口が、１階の階段上り口よりも後退位置に左右に並設され、かつ、３階の階段下り口が、２階の階段下り口ならびに階段上り口よりも前進位置に設けられているので、２階ならびに３階の階段ホールとしてのスペースを狭くすることができるので、間取り設計の自由度を上げることができる。
【０００８】
【発明の実施の形態】
以下、図１ならびに図２に基づいて、実施の形態１のユニット建物について詳述する。図１は実施の形態１のユニット建物の各階の平面図、図２は図１のII−II断面図で、本実施の形態１のユニット建物は、建物ユニット１，２，３を３層に積み重ねて構成された３階建ての建物である。このユニット建物は、１階ならびに２階の建物ユニット１，２の同一平面上にＵ字型の折れ階段４，５が設けられており、図１ならびに図２は、その折れ階段４，５の部分を示している。
【０００９】
まず、１階の建物ユニット１に設けられている折れ階段４は、合計１３枚の段板Ｓ１〜Ｓ１３で構成されており、その内の５枚の段板Ｓ３〜Ｓ７で昇降方向を１８０度変える階段折返し部４１が構成されている。同様にして、２階の建物ユニット２に設けられている折れ階段５も、合計１３枚の段板Ｓ１４〜Ｓ２６で構成されており、その内の５枚の段板Ｓ２０〜Ｓ２４で昇降方向を１８０度変える階段折返し部５１が構成されている。なお、本実施の形態における建物ユニットは柱と梁とから略箱形に形成されたものであり、いずれの階段もそれぞれ工場内で建物ユニット内に取付けられている。
【００１０】
また、同じ１階の建物ユニット１には、階段上り口１１が設けられており、２枚の段板Ｓ１，Ｓ２で階段上り口１１から階段折返し部４１までの階段直線部４２が構成されている。更に、同じ２階の建物ユニット２には、１階への階段下り口２１と３階への階段上り口２２とが、１階の階段上り口１１よりも後退位置に左右に並設されており、６枚の段板Ｓ８〜Ｓ１３で階段下り口２１から１階の階段折返し部４１までの階段直線部４３が構成され、同様にして６枚の段板Ｓ１４〜Ｓ１９で階段上り口２２から２階の階段折返し部５１までの階段直線部５２が構成されている。また更に、３階の建物ユニット３には、２階への階段下り口３１が、２階の階段下り口２１ならびに階段上り口２２よりも前進位置に設けられており、２枚の段板Ｓ２５，Ｓ２５で階段下り口３１から２階の階段折返し部５１までの階段直線部５３が構成されている。
【００１１】
すなわち、本実施の形態では、２階の階段上り口２２が１階の階段上り口１１よりも後退位置に設けられているので、２階の階段上り口２２から階段折返し部５１までの距離を十分確保することができ、また、その高低差Ａも十分確保できるので、１階の折れ階段４と２階の折れ階段５の上下間隔Ｈ１，Ｈ２，Ｈ３を広くすることができる。
【００１２】
ここで、本実施の形態における２階の階段上り口２２と２階の階段折返し部５１の最下段との高低差Ａと、図３ならびに図４に示した従来の階段構造における２階の階段上り口０２２と２階の階段折返し部０５１の最下段との高低差ａとを比較すると、従来の階段構造では高低差ａが段板３段分であったのに対し、本実施の形態では高低差Ａが段板７段分となる。その結果、本実施の形態における１階の折れ階段４と２階の折れ階段５の上下間隔Ｈ１，Ｈ２，Ｈ３も、従来の階段構造における１階の折れ階段０４と２階の折れ階段０５の上下間隔ｈ１，ｈ２，ｈ３よりも大きくなる（Ｈ１＞ｈ１，Ｈ２＞ｈ２，Ｈ３＞ｈ３）。つまり、本実施の形態では、１階の折れ階段４と２階の折れ階段５の上下間隔を広くすることができるので、ゆとりある階段スペースを確保することができる。
【００１３】
また更に、２階の階段下り口２１と階段上り口２２が、１階の階段上り口１１よりも後退位置に左右に並設され、かつ、３階の階段下り口３１が、２階の階段下り口２１ならびに階段上り口２２よりも前進位置に設けられているので、２階ならびに３階の階段ホールとしてのスペースを狭くすることができる。
つまり、従来の階段構造では、図３に示すように、２階の階段下り口０２１と階段上り口０２２の後方、ならびに、３階の階段下り口０３１の後方のそれぞれに、斜線部で示すようなＬ字形のスペースを階段ホールとして最低限確保しなければならなかったのに対し、本実施の形態では、図１に示すように、２階の階段下り口２１と階段上り口２２の後方に、斜線部で示すような矩形のスペースを確保すると共に、３階の階段下り口３１の後方にも、斜線部で示すような矩形のスペースを確保するだけでよくなる。このように、本実施の形態では、階段ホールとしてのスペースを狭くすることができるので、間取りを設計する上で階段が大きな制約にならなくなり、間取り設計の自由度が高まる。
【００１４】
以上、本発明の実施の形態を図面により詳述してきたが、具体的な構成はこの実施の形態に限られるものではなく、本発明の要旨を逸脱しない範囲における設計の変更等があっても本発明に含まれる。例えば、実施の形態では、ユニット建物を示したが、ツーバイフォー建物等ユニット建物以外の建物に同一構造の折れ階段を設けるようにしてもよい。
【００１５】
【発明の効果】
以上説明したように、請求項１記載の発明ならびに請求項２記載の発明にあっては、３階建ての建物において、１階の折れ階段と２階の折れ階段の上下間隔を広くすることができるので、ゆとりある階段スペースを確保することができる。また、２階ならびに３階の階段ホールとしてのスペースを狭くすることができるので、間取りを設計する上で階段が大きな制約にならないようにすることができるという効果が得られる。
【図面の簡単な説明】
【図１】  実施の形態１のユニット建物の各階の平面図である。
【図２】  図１のII−II断面図である。
【図３】  従来のユニット建物の各階の平面図である。
【図４】  図３のIV−IV断面図である。
【符号の説明】
１  １階の建物ユニット
１１  階段上り口
２  ２階の建物ユニット
２１  階段下り口
２２  階段上り口
３  ３階の建物ユニット
３１  階段下り口
４  １階の折れ階段
４１  階段折返し部
４２，４３  階段直線部
５  ２階の折れ階段
５１  階段折返し部
５２，５３  階段直線部
【図１】
0004044682.tif 000002
【図２】
0004044682.tif 000003
【図３】
0004044682.tif 000004
【図４】
0004044682.tif 000005